(57)【要約】【課題】  装置の使用を開始しようとする場合に、各部を早くスタンバイ状態とし得る画像処理装置を提供する。【解決手段】  操作部８の省エネモードを設定するための省エネキー８ａの周囲に、ウォームアップモードを設定するためのウォームアップキー８ｂを設け、省エネキー８ａが操作されて省エネモードに設定されており、ボタンの省エネ表示が点灯されている状態で、ウォームアップキー８ｂを操作すると、装置がウォームアップモードとなり、画像記録部１０がスタンバイ状態となる。【選択図】      図２
2005117518.tif 000002
【特許請求の範囲】
【請求項１】
省エネモードを設定入力するための省エネモード設定手段と、この省エネモード設定手段に並設され、ウォームアップモードを設定入力するウォームアップモード設定手段と、
を備えることを特徴とする画像処理装置。
【請求項２】
前記ウォームアップモード設定手段が操作されると、画像記録部をスタンバイ状態とすることを特徴する請求項１記載の画像処理装置。
【発明の詳細な説明】
【技術分野】
【０００１】
この発明は、複写機、ファクシミリ装置、複合機、プリンタ装置などの画像処理装置に関する。
【背景技術】
【０００２】
ファクシミリ装置等の画像処理装置には、電源をＯＮすると、装置の各部に電源を供給する通常モードと、省エネボタン（省エネキー）を操作することによって設定される省エネモードとを備えるものがある（例えば、特許文献１参照）。  この種の装置の省エネボタンは、表示機能付きであり、初期状態では表示ＯＦＦであり、この場合は、電源が各部に与えられる標準モードにある。この状態で、省エネボタンが操作されると、ボタンの表示が、例えば緑となり、定着器と表示部への電源をＯＦＦする第１の省エネモードとなる。次に、もう一度、省エネボタンが操作されると、ボタンの表示が、例えば赤となり、着信部を除く回路各部への電源もＯＦＦする第２の省エネモードとなる。更に、次に省エネボタンが操作されると、ボタンの表示が消え、各部に電源が供給される通常モードとなる。
【特許文献１】特開平８−１６９３４号公報
【発明の開示】
【発明が解決しようとする課題】
【０００３】
上記した従来の省エネボタンを有する装置において、第１の省エネモードにある場合に、ユーザが例えばコピーを望む場合に、コピーを可能とするには、第１の省エネモードから省エネボタンを操作して、第２の省エネモードとし、更にもう一度、省エネボタンを操作して、通常モードとし、画像記録部の定着器等に電源を供給し、ウォームアップするので、画像記録部がスタンバイ状態となるのに時間がかかるという問題があった。
【０００４】
この発明は上記問題点に着目してなされたものであって、装置の使用を開始しようとする場合に、各部を早くスタンバイ状態とし得る画像処理装置を提供することを目的としている。
【課題を解決するための手段】
【０００５】
この発明の画像処理装置は、省エネモードを設定入力するための省エネモード設定手段と、この省エネモード設定手段に並設され、ウォームアップモードを設定入力するウォームアップモード設定手段と、を備えている。
【０００６】
この発明の画像処理装置において、前記ウォーミングアップモード設定手段が操作されると、画像記録部をスタンバイ状態とする。
【発明の効果】
【０００７】
この発明によれば、省エネモード設定手段の他に、ウォームアップモード設定手段（ウォームアップボタン）を備えているので、電源ＯＮ時、省エネモードにおいて、ウォームアップモード設定手段を操作することにより、例えば枚数設定やコピーの設定をしているときに、画像記録部等を直ちにスタンバイ状態とすることができる。
【発明を実施するための最良の形態】
【０００８】
以下、実施の形態により、この発明をさらに詳細に説明する。図１は、この発明の実施形態である画像処理装置全体の概略構成を示すブロック図である。
【０００９】
この実施形態画像処理装置は、ファクシミリ機能とコピー機能とを備えた、しかも画像としてモノクロの他、カラーも扱えるカラー複合機として構成したものである。このカラー複合機は、主制御部（ＣＰＵ）１と、ＮＣＵ（網制御回路：Ｎｅｔｗｏｒｋ  Ｃｏｎｔｒｏｌ  Ｕｎｉｔ）と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化：復号器：Ｃｏｄｅｒ  ａｎｄ  Ｄｅｃｏｄｅｒ）１１と、ＬＡＮＩ／Ｆ１２と、電源制御部１３と、バス１４とを備えている。
【００１０】
主制御部（ＣＰＵ）１は、この装置を構成する各部を制御する。この制御には、モノクロ画像、又はカラー画像を相手機に送信し、あるいは相手機から受信する場合の制御が含まれる。ＮＣＵ２は、通信回線である電話回線網（ＰＳＴＮ）１６との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１１】
ＲＯＭ４は、この装置を制御するためのプログラムを記憶する。ＲＡＭ５は、データ等を一時的に記憶する。画像メモリ６は、モノクロあるいはカラーの受信画像データや画像読取部９で読み取ったモノクロあるいはカラーの読み取り画像データを一時的に記憶する。
【００１２】
表示部（ＬＣＤ）７は、アイコン、キーボタンの表示や、データの送受信に必要なメッセージ内容等を表示する。操作部８は、省エネキー（省エネボタン）８ａ、ウォームアップキー（ウォームアップボタン）８ｂの他、スタートキー、テンキー、ワンタッチキー、登録キー、ＦＡＸモード・コピーモード・スキャナモード等の複数の動作モードについてのモード切り替えを行うための動作モード切替キー、その他のキーを有する。
【００１３】
省エネキー８ａは、省エネモード設定入力するためのキーであり、ボタン表示機能を有する。装置の電源ＯＮ後は、通常モードであり、省エネキー８ａの表示はＯＦＦ（被表示）の状態にある。省エネキー８ａは、この状態から１回操作すると、装置を第１の省エネ状態とし、キーの表示を緑とする。この第１の省エネ状態では、画像記録部１０の定着部への電源と、表示部７への電源をＯＦＦする。その他の回路部への電源はＯＮしたままである。次に、もう一度、省エネキー８ａを操作すると、第２の省エネ状態とし、キーの表示を赤とする。この第２の省エネ状態では、定着部、表示部への電源ＯＦＦに加えて、着信部以外の回路部への電源をＯＦＦする。更に、もう一度、省エネキー８ａを操作すると、通常モードとし、キーの表示は消去となる。各部には、通常時の電源電圧が供給される。
【００１４】
ウォームアップキー８ｂは、ウォームアップモードを設定入力するためのキーであり、操作により、ウォームアップモードとし、画像記録部１０に電源電圧を供給し、スタンバイ状態とする。このウォームアップキー８ｂは、図２に示すように、省エネキー８ａの外周に同心円上にドーナツ状に形成、配置している。これに変えて、図３に示すように、省エネキー８ａの近傍にウォームアップキー８ｂを並設しても良い。このウォームアップキー８ｂは表示機能を持つボタンを有し、操作によりウォームアップモードとなると、表示が点灯する（例えば、青色）。
【００１５】
画像読取部９は、ＦＡＸ送信するときに、あるいはコピーするときに、原稿を光学的に走査して画像データを読み取る。この画像読取部９は、モノクロ画像とカラー画像とを読み取ることが可能である。画像記録部１０は、電子写真式のプリンタよりなり、受信画像データやコピー動作において、画像読取部９で読み取った原稿の画像データを記録紙上に記録する。この画像記録部１０は、カラープリントも可能である。
【００１６】
ＣＯＤＥＣ１１は、読み取った画像データを送信又は記憶するためにＭＨ、ＭＲ、ＫＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣよりファイル等のデータ転送の要求を受けると、ＲＡＭ５に記憶する画像データをＬＡＮＩ／Ｆ１２、ＬＡＮ１５を介して外部ＰＣに転送する。
【００１７】
電源制御部１３は、省エネキー８ａ、ウォームアップキー８ｂの操作状況に応じてＣＰＵ１より発せられる指令により、各回路部への電源電圧の供給を制御する。この電源制御部１３より、電源電圧Ｖ１が画像記憶部１０の定着部へ、電源電圧Ｖ２が表示部７へ供給される。また、この電源制御部１３より、着信部を除くその他の回路各部に電源電圧Ｖ３が供給され、着信部に電源電圧Ｖ４が供給される。
【００１８】
次に、この実施形態カラー複合機の省エネ処理、及びウォームアップ処理を、図４に示すフロー図を参照して説明する。電源スイッチが投入されると、この処理に入る。先ず、ステップＳＴ１において、省エネキー８ａがＯＮか否か判定する。省エネキー８ａが操作されていないと、省エネキー８ａのボタン表示は消去のままであり、通常モードとして各部に電源電圧Ｖ１〜Ｖ４が供給されている。省エネキー８ａが操作されると、ステップＳＴ２へ移行する。
【００１９】
ステップＳＴ２において、省エネキー８ａの表示を緑とし、第１の省エネモードに入ったことを示すとともに、ステップＳＴ３において、定着部への電源電圧Ｖ１、表示部７への電源電圧Ｖ２をＯＦＦにする。次に、ステップＳＴ４へ移行する。ステップＳＴ４においては、省エネキー８ａがＯＮされたか否かを判定する。緑の表示の点灯後、次に省エネキー８ａが操作されていない場合は、判定ＮＯでステップＳＴ１０へ移行する。一方、ステップＳＴ４において、省エネキー８ａがＯＮされと、ステップＳＴ５へ移行する。ステップＳＴ１０においては、ウォームアップキー８ｂがＯＮされたか否かを判定する。ウォームアップキー８ｂがＯＮされていない場合は、ステップＳＴ２へ戻る。一方、ＯＮされた場合には、ステップＳＴ８へ移行する。省エネキー８ａの表示が緑で、省エネキー８ａ、ウォームアップキー８ｂがともに操作されない場合は、処理がステップＳＴ４→ＳＴ１０→ＳＴ２→ＳＴ３→ＳＴ４→と繰り返され、第１の省エネモードにとどまる。
【００２０】
ステップＳＴ５においては、省エネキー８ａの表示を赤とし、第２の省エネモードに入ったことを示すとともに、ステップＳＴ６において、着信系を除く回路部への電源電圧Ｖ３をＯＦＦとする。次に、ステップＳＴ７へ移行する。ステップＳＴ７においては、省エネキー８ａがＯＮされたか否かを判定する。赤の表示の点灯後、次に省エネキー８ａが操作されていない場合は、判定ＮＯで、ステップＳＴ１１へ移行する。一方、ステップＳＴ７においては、省エネキー８ａがＯＮされると、ステップＳＴ８へ移行する。ステップＳＴ１１においては、ウォームアップキー８ｂがＯＮされたか否か判定する。ウォームアップキー８ｂがＯＮされていない場合は、ステップＳＴ５へ戻る。一方、ＯＮされた場合には、ステップＳＴ８へ移行する。省エネキー８ａの表示が赤で省エネキー８ａ、ウォームアップキー８ｂがともに操作されない場合は、処理がステップＳＴ７→ＳＴ１１→ＳＴ５→ＳＴ６→ＳＴ７→と繰り返され、第２の省エネモードにとどまる。
【００２１】
ステップＳＴ８においては、省エネキー８ａの表示を消去し、通常モードに戻ったことを示すとともに、ステップＳＴ８へ移行し、定着部、表示部、回路各部への電源Ｖ１、Ｖ２、Ｖ３を、それぞれの回路に供給する。
【００２２】
ステップＳＴ１０あるいはステップＳＴ１１において、ウォームアップキー８ｂがＯＮされると、ステップＳＴ８へ移行する。ステップＳＴ８においては、表示を消去し、ステップＳＴ９において、定着部、表示部等へ電源電圧Ｖ１、Ｖ２を供給し、ウォームアップを開始し、画像読取部１０をスタンバイ状態とする。
【００２３】
この実施形態においては、例えば第１の省エネ状態にあって、ウォームアップキー８ｂを操作すると、画像記録部１０の定着部等が電源ＯＮされ、直ちにウォームアップ状態に入る。ここで続いて、コピー枚数、コピーの設定を行う間に、画像記録部１０がスタンバイ状態となるので、直ちにコピーを行うことができる。
【図面の簡単な説明】
【００２４】
【図１】この発明が実施されるカラー複合機の概略構成を示すブロック図である。
【図２】同実施形態カラー複合機の操作部の操作面の一部を示す図である。
【図３】同実施形態カラー複合機で採用可能な操作部の操作面の一部の他の例を示す図である。
【図４】同実施形態カラー複合機の省エネ処理及びウォームアップ処理を説明するフロー図である。
【符号の説明】
【００２５】
１      主制御部（ＣＰＵ）
２      ＮＣＵ
３      ＭＯＤＥＭ
４      ＲＯＭ
５      ＲＡＭ
６      画像メモリ
７      表示部
８      操作部
８ａ    省エネキー
８ｂ    ウォームアップキー
９      画像読取部
１０    画像記録部
１１    ＣＯＤＥＣ
１２    ＬＡＮＩ／Ｆ
１３    電源制御部
１４    バス
１５    公衆回線
１６    ＬＡＮ
【図１】
2005117518.tif 000003
【図２】
2005117518.tif 000004
【図３】
2005117518.tif 000005
【図４】
2005117518.tif 000006